(57)【要約】【課題】空気調和機には様々な機能が搭載されているが、どの機能の使用頻度が高く、どの機能の使用頻度が低いかを正確に把握することは難しい。その為、新製品の開発において、使用頻度が高い機能を削除し、使用頻度が低い機能の搭載を継続してしまう可能性がある。さらに、操作情報を回収しようとすると、ユーザによっては、不快に感じる場合がある。【解決手段】空気調和機本体と、空気調和機本体を操作する操作部と、操作部で操作された操作情報を記憶する記憶部と、記憶部に操作情報を記憶するか否かを切り替える記憶可否切り替え部とを備えた空気調和機。【選択図】図６
2016023847.tif 000002
【特許請求の範囲】
【請求項１】
空気調和機本体と、
前記空気調和機本体を操作する操作部と、
前記操作部で操作された操作情報を記憶する記憶部と、
前記記憶部に前記操作情報を記憶するか否かを切り替える記憶可否切り替え部とを備えた空気調和機。
【請求項２】
空気調和機本体と、
前記空気調和機本体を操作する操作部と、
前記操作部で操作された操作情報を記憶する記憶部と、
前記記憶部に記憶した前記操作情報を消去する記憶消去部とを備えた空気調和機。
【請求項３】
空気調和機本体と、
前記空気調和機本体の運転を開始する操作部と、
室内温度を検出する温度センサと、
前記操作部で前記空気調和機本体の運転を開始した時における前記温度センサで検出した室内温度を記憶する記憶部と、
前記記憶部に記憶した前記室内温度に基づく情報を表示する表示部とを備えた空気調和機。
【請求項４】
空気調和機本体を操作する操作部を有する操作画面と、
前記操作部で操作された操作情報を記憶する記憶部と、
前記記憶部に記憶した前記操作情報に基づいて前記操作部の表示を変更する空気調和機用遠隔操作システム。
【請求項５】
空気調和機本体を操作する操作部を有する操作画面と、
空気調和機本体のセンサ部で検出した検出情報を記憶する記憶部と、
前記記憶部に記憶した前記検出情報に基づいて前記操作部の表示を変更する空気調和機用遠隔操作システム。
【発明の詳細な説明】
【技術分野】
【０００１】
本発明は、空気調和機及び空気調和機用遠隔操作システムに関する。
【背景技術】
【０００２】
特許文献１には、筺体の表面側に、操作頻度の高い運転／停止スイッチと、タイマ設定等の操作部を押ボタンスイッチで構成して配置し、裏面側に、操作頻度の低い、運転切替え、温度設定等の操作部をスライドスイッチで構成して配置した空気調和機用のリモコン装置が記載されている。
【先行技術文献】
【特許文献】
【０００３】
【特許文献１】特開平８−２３５８８
【発明の概要】
【発明が解決しようとする課題】
【０００４】
しかしながら、空気調和機には様々な機能が搭載されているが、どの機能の使用頻度が高く、どの機能の使用頻度が低いかを正確に把握することは難しい。その為、新製品の開発において、使用頻度が高い機能を削除し、使用頻度が低い機能の搭載を継続してしまう可能性がある。
【０００５】
さらに、新製品の開発の為に操作情報を回収しようとすると、ユーザによっては不快に感じる場合がある。
【課題を解決するための手段】
【０００６】
本発明に係る空気調和機は、空気調和機本体と、空気調和機本体を操作する操作部と、操作部で操作された操作情報を記憶する記憶部と、記憶部に操作情報を記憶するか否かを切り替える記憶可否切り替え部とを備えた。
【発明の効果】
【０００７】
本発明によれば、どの機能の使用頻度が高く、どの機能の使用頻度が低いかを正確に把握することができる。又、操作情報に関するプライバシーの保護を確保することができる。
【図面の簡単な説明】
【０００８】
【図１】実施例１に係る空気調和機の外観構成を示す説明図である。
【図２】実施例１に係る空気調和機の室内機の構成を示す説明図である。
【図３】実施例１に係る空気調和機の室外機の構成を示す説明図である。
【図４】実施例１に係る空気調和機のリモコンの外観を示す説明図である。
【図５】実施例１に係る空気調和機のセンサ部の構成を示す説明図である。
【図６】実施例１に係る空気調和機の制御部の構成を示す説明図である。
【図７】実施例２の空調制御端末（リモコン）の構成およびホーム画面を示す図である。
【発明を実施するための形態】
【０００９】
以下、本発明の実施例について図面を用いて詳細に説明するが、本発明は以下の実施例に限定されることなく、本発明の技術的な概念の中で種々の変形例や応用例もその範囲に含むものである。
【実施例１】
【００１０】
図１は、本実施例に係る空気調和機の外観構成を示す説明図である。空気調和機Ａは、例えばヒートポンプ技術等を用い、冷房等室内の空気調和を行う装置である。空気調和機Ａは、大別して、室内の壁や天井、床等に設置される室内機１００と、屋外等に設置される室外機２００と、赤外線や電波、通信線等により室内機１００と通信してユーザが空気調和機Ａを操作するためのリモコン４０（リモートコントローラ、空調制御端末）と、室温や外気温等の空気調和機の制御や表示に用いる情報を入手するための各種のセンサ部５０（図５参照）とからなる。また、室内機１００と室外機２００とは、冷媒配管と通信ケーブル（図示せず）で接続されている。さらに、室内機１００は、センサ部５０（図５参照）のひとつのセンサとして、室内を撮影する撮像部１１０を有している。
【００１１】
室内の温度を検出する温度検知部１３０を撮像部１１０の一方に配置している。このような配置により、撮像部１１０と温度検知部１３０の検出対象までの距離や角度の検出誤差を減らすことができる。近赤外線光源１２０を撮像部１１０の他方に配置している。このような配置により、撮像部１１０の検出範囲や角度と近赤外線光源１２０の照射範囲や角度の差を減らすことができる。すなわち、撮像部１１０を挟んで両側に温度検知部１３０と近赤外線光源１２０を配置することが望ましい。
【００１２】
さらに、本実施例では撮像部１１０または温度検知部１３０の横に足元モニター１４０を配置している。そして、後述するように、撮像部１１０または温度検知部１３０によって足元を検出した時、または、足元を推定した時に足元モニター１４０を点灯し、足元を検出できたことをユーザが確認することができる。なお、この足元モニター１４０は室内機１００だけではなく、リモコン４０に配置するようにしてもよい。
【００１３】
図２は、本実施例に係る空気調和機の室内機の構成を示す説明図である。室内機１００は、熱交換器１０２、送風ファン１０３、左右風向板１０４（風向板）、上下風向板１０５（風向板）、前面パネル１０６、筐体ベース１０１、各種のセンサ部５０（図５参照）５０等を有している。センサ部５０（図５参照）５０のうち、撮像部１１０、近赤外線光源１２０、温度検知部１３０および足元モニター１４０を吹出し風路上面１０９ｃの上方であって、ドレンパン９９の下方の空間に配置している。これらのセンサ等は居住空間に向くよう斜め下方に傾けて設置する必要があり、本実施例では、基板自体を斜め下方に向けて設置して、これらのセンサ等を基板に直接接続している。なお、必ずしも撮像部１１０、近赤外線光源１２０、温度検知部１３０および足元モニター１４０の全てを室内機１００に搭載する必要はなく、実施例に合わせて適宜室内機１００に搭載するセンサ等を選択すればよい。また、センサの前面には光透過部材１５０を配置するとよい。
【００１４】
熱交換器１０２は、複数本の伝熱管１０２aを有し、送風ファン１０３により室内機１００内に取り込まれた室内の空気を、伝熱管１０２ａを通流する冷媒と熱交換させ、当該空気を冷却または加熱等するように構成されている。なお、伝熱管１０２ａは、前記した冷媒配管に通じていて、公知の冷媒サイクルの一部を構成している。送風ファン１０３は、風速を調節可能である。左右風向板１０４は、その基端側が室内機下部に設けた回転軸を支点にして左右風向板用モータにより正逆回転される。そして、左右風向板１０４の先端側が室内側を向いていて、これにより左右風向板１０４の先端側は水平方向に振れるように動作可能である。上下風向板１０５は、室内機１００の長手方向両端部に設けられた回転軸を支点にして上下風向板用モータにより正逆回転される。これにより、上下風向板１０５の先端側は、上下方向に振れるように動作可能である。前面パネル１０６は、室内機の前面を覆うように設置されており、下端部の回転軸を支点として前面パネル用モータにより正逆回転可能である。ちなみに、前面パネル１０６は、回転動作を行うことなく、室内機１００の下端に固定されたものとしてもよい。
【００１５】
室内機１００は、送風ファン１０３が回転することによって、空気吸込み口１０７およびフィルタ１０８を介して室内の空気を室内機１００内に取り込み、この空気を熱交換器１０２で熱交換する。これにより、当該熱交換後の空気は、熱交換器１０２で冷却され、あるいは、加熱される。この熱交換後の空気は吹出し風路１０９aに導かれる。さらに、吹出し風路１０９ａに導かれた空気は、空気吹出し口１０９ｂ（吹出し口）から室内機外部に送り出されて室内を空気調和する。そして、この熱交換後の空気吹出し口１０９ｂから室内に吹き出す際には、その水平方向の風向きは左右風向板１０４により調節され、その上下方向の風向きは上下風向板１０５により調節される。
【００１６】
図３は、本実施例に係る空気調和機の室外機の構成を示す説明図である。空気調和機Ａ（図１参照）の室外機２００には、冷媒を圧縮する圧縮機２０２、高圧の冷媒を減圧する膨張弁、冷媒の流路を切り替える四方弁、外気と冷媒とを熱交換する熱交換器２０６等の装置を備えている。室外機２００は、仕切り板２１１と電装品箱２１０とリード線支持部品２０９とにより、熱交換器室２０４と機械室２０５とを区分（分割）している。熱交換器室２０４には、冷媒配管を循環する冷媒の外気との熱交換を促進するプロペラファン２０７とその駆動用のモータ、プロペラファン２０７を回転自在に支持するファン支柱、および外気と循環する冷媒の熱交換を行う熱交換器２０６が配設されている。機械室２０５には、循環する冷媒を高温高圧のガス冷媒にする圧縮機２０２、常温・高圧の液状冷媒を低温・低圧の液状冷媒にする電動膨張弁、電気部品のリアクタ、および、冷媒が流れる冷媒配管の伝熱管が配設されている。電装品箱２１０には、室外機２００を制御する電装品が収納されており、その上部には電装品蓋が被せられている。
【００１７】
図４は、本実施例に係る空気調和機のリモコンの外観を示す説明図である。リモコン４０はユーザによって操作され、室内機１００のリモコン受信部Ｑ（図１参照）に対して赤外線信号を送信する。当該信号の内容は、運転要求、設定温度の変更、タイマ、運転モードの変更、停止要求等の様々な指令である。空気調和機Ａ（図１参照）は、これらの信号に基づいて、少なくとも室内の冷房、暖房、除湿、涼快等を行うことができる。また、空気清浄等、その他の空気調和の機能を備えていてもよい。空気調和機Ａは、室内の空気を様々に調整することができる。なお、涼快とは、自動で室温と湿度をコントロールして、冷やしすぎず快適さを保つ機能をいい、暑いうちは室温を中心に下げてすばやく涼しく、その後は湿度中心のコントロールで冷えすぎを抑える。
【００１８】
リモコン４０の表示画面４１には、足元気流が実行中であるか否かを示す旨４２が表示されている。具体的には、表示内容には、足元気流のほか、障害物上気流等がある。
【００１９】
自動運転ボタン４３を押すことで、センサ部５０（図５参照）の検知結果に基づいて、自動で冷房、暖房、除湿等を選択し、設定温度等も調整する自動運転を開始する。さらに、本実施例では、自動運転ボタン４３を押すことで、障害物検出部および通り抜け可否検出部の実行を開始し、風向制御に反映するようにしている。
【００２０】
さらに、本実施例では、自動運転ボタン４３に加えて、足元気流ボタン４４（３Ｄ足元気流ボタン）を専用に設けている。本実施例では、足元気流ボタン４４をリモコン４０の表面に設けており、暖房運転ボタン等で運転を開始するユーザに対しても、簡単に足元気流運転を開始できるようにしている。つまり、本実施例では、少なくとも足元気流ボタン４４で、人検出部６２の検出結果に基づく風向制御を開始できるようにしている。なお、足元気流ボタン４４はリモコン４０の内部に配置するようにしてもよい。
【００２１】
本実施例では、停止ボタンの下に、使用頻度が高い機能についての専用ボタンとして、足元気流ボタン４４と間取り気流ボタン４５を配置している。ちなみに、間取り気流ボタン４５は撮像部１１０によって室内の間取りを検知し、間取りに合わせたスイング運転を開始するボタンである。
【００２２】
図５は、本実施例に係る空気調和機のセンサ部の構成を示す図である。センサ部５０は、室内機１００と室外機２００に備えられている。センサ部５０は、室温センサ、人、物体および室内の表面温度を検知する温度検知部１３０（図１参照）、外気温センサ、湿度センサ、冷媒配管温度センサ、圧縮機温度センサ、撮像部１１０（図１参照）、時計等により構成される。撮像部１１０は、図１に示すように、前面パネル１０６（図１参照）の左右方向中央の下部に設置されている。
【００２３】
温度検知部１３０がサーモパイルである場合、例えば横×縦が１×１画素、４×４画素、１×８画素で構成され、前面パネル１０６の左右方向中央の下部に設置されている。これ以外にも、赤外線センサ、近赤外線センサ、サーモグラフィーを使用してもよい。温度検知部１３０で検出するのは、室内の平均的な表面温度に限られず、検出範囲の内、人を除いた領域の室内の表面温度、人の着衣の表面温度、人の皮膚の温度、床の表面温度でもよい。
【００２４】
図６は、本実施例に係る空気調和機の制御部の構成を示す説明図である。制御部６０は、電装品に備えられている。制御部６０は、送受信部４７を介するリモコン４０からの情報と、センサ部５０からの情報に基づき、室内機１００の送風ファン１０３、左右風向板１０４、上下風向板１０５を駆動し、室外機２００の圧縮機２０２、プロペラファン２０７を駆動する。
【００２５】
制御部６０は、後記する第１の撮影モードおよび第２の撮影モードで撮像部１１０を制御する撮像制御部６１と、撮像部１１０で撮影された画像に基づいて、室内の人の位置を検出する人検出部６２と、撮像部１１０で撮影された画像に基づいて、室内の壁位置を検出する壁検出部６３と、可視光カットフィルタ１１２を介して撮像部１１０で撮影された近赤外線画像に基づいて、気流が通る経路において障害物となる物体を検出する障害物検出部６４と、障害物検出部６４で検出された障害物が気流を通り抜ける形状であるか否かを検出する通り抜け可否検出部６５と、気流が通り抜け可能である領域に気流を送風する気流制御部６６と、記憶部６７とを有する。
【００２６】
空気調和機Ａには様々な機能が搭載されているが、どの機能の使用頻度が高く、どの機能の使用頻度が低いかを正確に把握することは難しい。その為、新製品の開発において、使用頻度が高い機能を削除し、使用頻度が低い機能の搭載を継続してしまう可能性がある。
【００２７】
そこで、本実施例に係る記憶部６７は、リモコン４０（図４参照）でユーザによって操作された機能の種類と回数を記憶する。例えば、運転モードやタイマ機能など実行された機能の種類と回数を記憶する。
【００２８】
記憶部６７に操作内容を記憶しておくことで、空気調和機Ａのサービス時や廃棄後の解体時に、記憶部６７に記憶した記憶内容を回収し、空気調和機Ａに搭載した機能の使われ方を把握することが可能となる。
【００２９】
このように搭載した機能の使われ方を把握することで、使用頻度に基づいて各機能に対応するボタンの大きさを変更し、又、使用頻度が低い機能を削除する等、より商品価値を高める開発を行うことが可能となる。
【００３０】
しかしながら、ユーザによっては、記憶部６７に操作情報が記憶され、操作情報が回収されることを不快に感じる場合がある。
【００３１】
そこで、本実施例では、操作情報を記憶するか否かを切り替える記憶可否切り替え部をリモコン４０の内側に設けている（図示せず）。すなわち、空気調和機本体（室内機１００、室外機２００）と、空気調和機本体（室内機１００、室外機２００）を操作する操作部（リモコン４０）と、操作部（リモコン４０）で操作された操作情報を記憶する記憶部６７と、記憶部６７に操作情報を記憶するか否かを切り替える記憶可否切り替え部とを備えている。
【００３２】
記憶可否切り替え部は、記憶を可としている期間中の操作情報や実行情報を記憶し、記憶を否としている期間中の操作情報や実行情報は記憶しない。記憶可否切り替え部を備えることで、空気調和機の使用に関するプライバシーの保護を確保することが可能となり、ユーザは安心して空気調和機を使用することが可能となる。
【００３３】
記憶可否切り替え部は、工場出荷時には記憶を否とした状態で出荷され、空気調和機の据付時や運転時に記憶を可とされることが想定される。
【００３４】
記憶可否切り替え部で、記憶を否とした場合、記憶部６７のうち、操作情報を記憶する部分と他の機器との接続を物理的に遮断するようにしてもよい。
【００３５】
尚、記憶可否切り替え部を室内機１００や室外機２００に設けてもよい。記憶可否切り替え部が室内機１００又は室外機２００に設けることで、誤操作により誤って設定を変更してしまう危険性を回避することが可能となり、記憶を可としていた場合には継続した記憶が可能となり、記憶を否としていた場合には確実にユーザの空気調和機の使用に関するプライバシーを確保することが可能となる。
【００３６】
又、記憶可否切り替え部で記憶を否とした場合に、過去の操作内容や実行内容の記憶を消去することで、確実に操作内容や実行内容を記憶させたくないというユーザの意図を確実に反映することが可能となる。
【００３７】
尚、記憶可否切り替え部で記憶を否とした場合に、記憶部６７に記憶している過去の操作情報を消去しないようにしてもよい。
【００３８】
さらに、記憶部６７で、センサ部５０の出力を記憶するようにしてもよい。リモコン４０で操作が行われ、冷房や暖房などの運転モードの切り替えや設定温度の変更など所定の機能の操作を制御部６０で受信した信号に含まれるセンサ部５０（図５参照）からの情報を記憶するようにしている。このような構成によれば、冷房や暖房などの運転モードの切り替えや設定温度の変更など所定の機能の操作を制御部６０が受信したタイミングにおけるセンサ部５０（図５参照）からの情報を記憶部６７で記憶することで、所定の機能を操作するユーザの属性や、所定の機能の操作を誘引した原因を、より少ない情報量で推定することが可能となり、より容量の少ない記憶部６７とすることが可能となる。
【００３９】
又、リモコン４０で操作が実行されたタイミングにおけるセンサ部５０で検出した情報を記憶するようにしてもよい。このような構成によれば、実際に実行された内容に基づき、ユーザの使用状況を把握することが可能となる。
【００４０】
又、記憶部６７は、所定の時間間隔でセンサ部５０からの情報を記憶してもよい。このような構成によれば、所定のタイミングにおける消費電力量を算出するセンサ部５０からの消費電力量の情報と室温センサからの室温の情報と外気温センサからの外気温の情報から、空気調和機Ａが据え付けられている空間の断熱性能を実測することが可能となり、商品の設計等に反映し、又、断熱性能をユーザに連絡することができる。
【００４１】
又、センサ部５０からの出力の記憶のタイミングは、時間的に前後してもよく、時間的に平均してもよい。また、センサ部５０からの出力の記憶は、全てのセンサからの出力を記憶してもよく、所定のセンサからの出力を記憶してもよい。
【００４２】
このように記憶部６７がセンサ部５０からの出力を記憶することで、リモコン４０で所定の機能が操作された要因を推定することが可能となる。例えば、室温を検出するセンサからの室温情報と、リモコン４０による冷房運転の情報と設定温度の情報を記憶部６７に記憶して蓄積することで、ユーザが冷房運転を必要とする室温を推定し、商品の制御の設計等に反映することが可能となる。又、センサ部５０にカメラを備え、カメラによってユーザの年齢や性別などの属性を推定した属性推定情報と、リモコン４０によるタイマ運転などのオプション機能の操作の情報の記憶の蓄積から、属性毎に使用するあるいは使用しないオプション機能の傾向を推定することが可能となり、商品のオプション機能の取捨選択や機能操作部のボタンの大きさ等、商品の機能や構造に反映することが可能となる。さらに、除湿などの所定の機能を操作する季節や時刻などの時間の要素を記憶することで、商品のオプション機能の取捨選択など、商品の機能の構成に反映することが可能となる。
【００４３】
又、センサ部５０で検出した値が所定の値となったタイミングにおけるセンサ部５０からの情報を記憶部６７に記憶するようにしてもよい。このような構成によれば、所定のパラメータが他のパラメータに及ぼす影響を推定することが可能となり、商品の制御の設計に反映することが可能となる。
【００４４】
例えば、人検知センサにより検出する在室者１名の出力時から所定の時間経過後の室温の情報と、在室者２名の出力時から所定の時間経過後の室温の情報の比較から、空気調和機Ａが使用される室内空間での在室者の変化による室温の変化を推定して、商品の設計等に反映することが可能となる。
【００４５】
尚、センサ部５０からの情報全てを記憶するようにしてもよい。
【００４６】
記憶部６７は、属性情報を記憶する。属性情報は、機種名や製造年などの空気調和機Ａの属性、左右方向の据付位置や上下方向の据付位置などの属性、郵便番号や県、市町村などの据え付けられる空間の所在地の属性を含む。さらに、空気調和機Ａに接続されている室内機１００の数、室外機２００の数、室内機１００が据え付けられている部屋の広さ、冷媒配管の長さなどの空気調和機Ａが据え付けられている条件に関する属性を記憶してもよい。このような構成によれば、リモコン４０による操作内容や実行内容と属性情報との比較をすることが可能となり、商品のオプション機能の取捨選択など、商品の機能の構成に反映することが可能となる。
【００４７】
記憶部６７が機種名などの空気調和機Ａの属性を記憶することで、当該機種に搭載されている機能毎に操作回数などの操作内容を比較することが可能となり、商品のオプション機能の取捨選択など、商品の機能の構成に反映することが可能となり、より高い利便性や操作性を実現する商品とすることが可能となる。
【００４８】
例えば、タイマ機能を搭載した機種でタイマ機能の使用頻度が少ない場合、タイマ機能は使われない機能であるなどと判断して商品の機能の構成に反映することが可能となる。
【００４９】
又、製造年などの空気調和機Ａの属性を記憶部６７に記憶することで、製造からの経過時間とリモコン４０によって操作される機能の操作内容とを比較することが可能となり、商品のオプション機能の取捨選択など、商品の機能の構成に反映することが可能となる。
【００５０】
例えば、製造直後すなわち据付直後には頻繁に使用されていた機能が２年目以降は使用されなくなった場合は、当該機能は利便性が高い機能ではない等と判断して、商品のオプション機能の取捨選択など、商品の機能の構成に反映することが可能となる。
【００５１】
又、左右方向や上下方向の据付位置などの属性を記憶部６７に記憶することで、据付位置毎にリモコン４０による操作内容や実行内容を比較することが可能となり、商品の制御の設計に反映することが可能となる。
【００５２】
又、郵便番号や県、市町村などの据え付けられる空間の所在地の属性を記憶部６７に記憶することで、所定の所在地毎にリモコン４０により操作される機能の操作内容を比較することが可能となり、商品の制御や機能の構成に反映することが可能となる。
【００５３】
例えば、暖房能力を高くするオプション機能の操作回数が、寒冷地では多く、温暖地では少ない場合、暖房運転を開始するリモコン４０による操作に暖房能力を高くするオプション機能を統合した寒冷地向けの商品とすることで、寒冷地向けの商品では高い暖房能力をより少ない操作回数で実行することが可能となり、寒冷地向けの商品のユーザにとってより高い利便性や操作性を実現する商品とすることが可能となる。
【００５４】
又、空気調和機Ａに接続されている室内機１００の数、室外機２００の数、室内機１００の据え付けられている部屋の数や広さ、冷媒配管の長さなどの空気調和機Ａの据え付けられている条件に関する属性を記憶部６７に記憶することで、空気調和機Ａの据え付け条件に関する所定の属性毎に、リモコン４０による操作内容や実行内容とセンサ部５０によるセンサ情報を比較することが可能となり、商品の制御の設計や機能の取捨選択に反映することが可能となる。
【００５５】
記憶部６７を備える空気調和機Ａをネットワークに接続してもよい。このような構成によれば、ネットワークを介して記憶部６７に記憶された情報を収集することができる。又、サーバ等に記憶部６７を設け、空気調和機Ａをネットワークに接続して記憶部６７に情報を記憶できるようにしてもよい。
【００５６】
例えば、空気調和機Ａに無線ＬＡＮ接続アダプタが設けられ、無線ＬＡＮ接続アダプタはインターネットを介してサーバに接続されており、サーバが記憶部６７を備える。又、空気調和機ＡがＨＥＭＳに接続されており、ホームゲートウェイを介してインターネットに接続されており、インターネットを介してサーバに接続され、サーバが記憶部６７を備えてもよい。又、空気調和機Ａが通信線と接続しているスマートメータに接続され、通信線に接続された記憶部６７を備えてもよい。ネットワークに接続される機器は、単一の機器に限られず、複数の機器であってもよい。
【００５７】
ネットワークに接続された記憶部６７は、ネットワークを介して所定のタイミングで、空気調和機Ａに設けられた記憶部６７で記憶した情報を収集してもよい。すなわち、所定の時刻で情報を収集してもよく、所定の機能が操作されたタイミングで情報を収集してもよく、所定の時刻以降で初めて機器が起動したタイミングで情報を収集してもよく、機器を停止したタイミングで情報を収集してもよい。
【００５８】
空気調和機Ａがネットワークに接続されることで、記憶部６７により記憶された情報を、ネットワークを介して収集することが可能となり、サービスマンの作業量を削減することが可能となる。空気調和機Ａがネットワークに接続されることで、リモコン４０や制御部６０に設けられた記憶部６７に記憶された情報を、空気調和機Ａを解体して取り出す作業を行う必要が無くなり、記憶部６７に記憶された情報を確実に収集することが可能となる。又、空気調和機Ａがネットワークに接続されることで、リモコン４０を紛失した場合でも、記憶部６７に記憶された情報を確実に回収することができる。又、機能の操作されたタイミングから短時間で、記憶部６７に記憶された情報を収集することが可能となり、リモコン４０での操作内容や実行内容、センサ部５０からの出力を、より短期間で商品の制御方法やオプション機能の取捨選択など、商品の制御や機能の構成に反映することが可能となる。
【００５９】
サーバが所定数の空気調和機からの情報が集まったら情報を記憶することで、操作内容に関するプライバシーを守ることが可能となる。また、少数の台数の情報を記憶することによる、個々の空気調和機Ａの情報が大きくなることを避けることが可能となり、誤操作や突発的な使用方法などの情報が通常の使用法用の情報に及ぼす影響を低減することができる。
【００６０】
本実施例に係る空気調和機Ａは、記憶部６７で記憶した情報やネットワークを介して収集された情報をリモコン４０に設けられた表示部４１に表示してもよい。例えば、記憶部６７に記憶した運転開始時のセンサ部５０の出力や過去の運転開始時の室温を表示する。
【００６１】
又、記憶部６７に記憶した情報に基づく記憶部６７で記憶した情報以外の情報を表示してもよい。例えば、過去の運転開始時の室温と現在の室温との比較から、運転の開始を勧めるアナウンスを表示してもよい。すなわち、本実施例に係る空気調和機Ａは、空気調和機本体（室内機１００、室外機２００）と、空気調和機本体（室内機１００、室外機２００）の運転を開始する操作部（リモコン４０）と、室内温度を検出する温度センサと、操作部（リモコン４０）で空気調和機本体（室内機１００、室外機２００）の運転を開始した時における温度センサで検出した室内温度を記憶する記憶部６７と、記憶部６７に記憶した室内温度に基づく情報を表示する表示部４１とを備えている。
【００６２】
空気調和機Ａは、ネットワークを介して収集された情報を表示部４１に表示してもよい。例えば、空気調和機Ａが設置された地域における運転中の空気調和機Ａの割合を表示する。当該地域で運転している空気調和機Ａの割合が高いにも関わらず、ユーザの空気調和機Ａが運転されていない場合は、運転の開始を勧めるアナウンスを表示してもよい。尚、表示部４１に表示する代わりに、音声等によってアナウンスをしてもよい。
【００６３】
表示部４１は、ユーザから見える室内機１００の表面部に設けてもよく、又、空気調和機Ａと有線あるいは無線で接続された端末機器でもよい。
【００６４】
表示部４１は、所定数の情報が集まった時に記憶部６７に情報を表示してもよい。例えば、１０個の情報が集まるまでは記憶部６７の情報を表示部４１に表示することを保留し、１０個以上の情報が集まった時に記憶部６７の情報を表示部４１に表示してもよい。
【００６５】
このように、空気調和機Ａが記憶部６７で記憶した情報を表示部４１に表示することで、ユーザはユーザ自身の空気調和機Ａの操作内容を傾向的に把握することが可能となる。
【００６６】
例えば、記憶部６７で記憶した運転開始時のセンサ部５０の出力を表示することで、ユーザは自身が運転を開始したいと感じる室温を把握することができる。さらに、現在の室温と傾向的に運転を開始する室温とを表示することで、現在の室温での運転の要否を判断することができ、ユーザの利便性を向上させることが可能となる。又、夏期に、過去の運転開始時の室温より現在の室温の方が高い場合に、運転の開始を勧めるアナウンスを表示することで、ユーザは生理的および心理的な負担に耐えることなく、快適な環境を得ることが可能となる。又、温熱感覚の感度は加齢に伴い低下するが、夏期に、過去の運転開始時の室温より現在の室温の方が高い場合に、運転の開始を勧めるアナウンスを表示することで、熱中症など熱に起因する体調の不調を防ぐことにつなげることが可能となる。
【００６７】
ネットワークを介して収集された情報を表示部４０に表示することで、空気調和機Ａの操作内容や実行内容、センサ部５０からの出力などの記憶した情報を、例えば属性毎に表示することが可能となり、ユーザの利便性を向上することが可能となる。例えば、空気調和機Ａの設置されている地域で運転中の空気調和機Ａの割合とユーザの空気調和機Ａの運転状況とを表示するとともに、当該地域で運転している空気調和機Ａの割合が高いにも関わらずユーザの空気調和機Ａが運転されていない場合は、運転の開始を勧めるアナウンスを表示することで、熱中症など熱に起因する体調の不調を防ぐことにつなげることが可能となる。又、ユーザの在室する室内の室温と、当該室温で運転する空気調和機Ａの割合とを比較することで、夏期に過剰に室内を冷房することや、冬期に過剰に室内を暖房することなどを防ぐことにつなげることが可能となる。
【００６８】
上述した通り、ユーザによっては、記憶部６７に操作情報が記憶され、操作情報が回収されることを不快に感じる場合がある。そこで、本実施例では、記憶部６７で記憶した情報を消去する記憶消去部をリモコン４０の内側に設けてもよい（図示せず）。すなわち、空気調和機本体（室内機１００、室外機２００）と、空気調和機本体（室内機１００、室外機２００）を操作する操作部（リモコン４０）と、操作部（リモコン４０）で操作された操作情報を記憶する記憶部６７と、記憶部６７に記憶した操作情報を消去する記憶消去部とを備えた。
【００６９】
記憶消去部を操作することで記憶部６７に記憶した情報の消去が可能となるため、ユーザの空気調和機Ａに関するプライバシーを確保することができる。例えば、空気調和機Ａが設置された賃貸住宅でユーザが変わった場合などに記憶部６７に記憶した情報を消去する用い方が想定される。
【実施例２】
【００７０】
第１実施例と異なる部分について説明し、第１実施例と重複する部分については説明を省略する。図７は、本実施例の空調制御端末（リモコン）の構成およびホーム画面を示す図である。空調制御端末１０は、タッチパネル部１１、赤外線通信部１２、データ通信部１３、ホーム画面に戻るためのホームボタン１４を有している。図７に示すタッチパネル部１１には、初期表示として、通信状態、現在の時刻などを表示するステータスバー１１１、現在の設定メニューなどを示すナビゲーションバー１１２、空気調和機本体を示すエレメント１１７から、風が吹き出す操作対象図象である風の吹き出し１１８を表示する主表示部１１３、各種ツールを選択できるツールバー１１４、特殊な運転モードなどが選択できるしおり部１１５を有している。
【００７１】
主表示部１１３には、前記した風の吹き出し１１８以外に、フィルタ清掃といった室内機内部の稼動状態を、アニメーションを用いて表示することができる。また、主表示部１１３には、基本的な運転モードである暖房モード、冷房モードの選択および設定温度を設定する運転モード設定部１１６が表示される。なお、アニメーションは、動画とも呼ばれ、コマ撮りなどによって、複数の静止画像により動きを作る技術であり、連続して変化する絵や物により発生する仮現運動を利用した映像手法である。
【００７２】
操作対象図象である風の吹き出し１１８は、空気調和機Ａの室内機１００（空気調和機本体）を示すエレメント１１７から、風の状態が表示される。風の吹き出し１１８は、運転モード、風向、風速を図象、色を用いて、風という括りで表示、伝達するものであり、具体的には、空気調和機Ａの室内機１００の稼動状態が表示される。
【００７３】
例えば、暖房モードの場合には、赤色系の温かみのある色で表示され、冷房モードの場合には、青色系の涼しげのある色で表示される。風速は、急速の場合には、濃い色で表示され、微風の場合には、淡い色で表示される。また、風速は、風の吹き出し１１８の長さで表示してもよい。可変の風速の場合には、濃い色と淡い色とは交互にアニメーション表示してもよい。
【００７４】
空調制御端末１０としてスマートフォンを利用している。例えば、メーカなどの専用ホームページから、空調制御端末１０として必要なソフトウェアをダウンロードしてリモコンとして利用する形態が考えられる。
【００７５】
図７は、赤外線通信部１２、データ通信部１３を有するスマートフォンを利用している状態を示している。スマートフォンを利用した空調制御端末１０には、通常の電話機能、撮影機能があり、カメラ１７、受話用スピーカ１８、マイク１９などを有している。
【００７６】
記憶部６７は、ユーザが操作する空調制御端末１０に備えられてもよく、ネットワーク上に設けられてもよく、サーバに設けられてもよい。
【００７７】
空調制御端末１０が制御部６０とネットワークにより接続され、専用のアプリケーションソフトで操作を行うことで、操作内容や実行内容を記憶することが可能となり、ユーザの空気調和機Ａの使用方法を把握することが可能となる。
【００７８】
本実施例に係る空気調和機用遠隔操作システム（専用のアプリケーションソフト）は、記憶部６７で記憶した情報に基づき、空調制御端末１０の主表示部１１３、ツールバー１１４や運転モード設定部１１６等空調制御端末１０の表示内容を変更してもよい。すなわち、空気調和機本体（室内機１００、室外機２００）を操作する操作部（ツールバー１１４、運転モード設定部１１６等）を有する操作画面（表示部１１９）と、操作部で操作された操作情報を記憶する記憶部６７と、記憶部６７で記憶した操作情報に基づいて、操作画面（表示部１１９）における操作部の表示を変更する。
【００７９】
例えば、操作部は複数の操作ボタンを有し、記憶部６７は操作ボタンの操作回数を記憶し、記憶部６７に記憶された操作回数が第１の回数以下である操作ボタンの表示を小さくし、又は、消去する。
【００８０】
又、記憶部６７に記憶された操作回数が第２の回数以上である操作ボタンの表示を大きくする。
【００８１】
又、各機能の操作回数や操作時刻等の記憶部６７に記憶した情報に基づき、ユーザが設定温度の分解能が１．０℃の空気調和機の冷房運転時の設定温度を２７℃と２８℃との間で所定の頻度で切り替えた場合、ユーザの所望する設定は２７℃と２８℃の間にあると推定し、設定温度の分解能を０．５℃とする。又、各機能の操作回数や操作時刻等の記憶部６７に記憶した情報に基づき、アプリケーションソフトのアイコンの大きさや位置、表示される順番、機能の取捨など空調制御端末１０の操作内容、表示内容を変更する。
【００８２】
このように、記憶部６７で記憶した情報に基づいて空調制御端末１０の表示内容を変更することで、機能操作部を操作するユーザが所望の機能を起動するのに要する手間を低減することが可能となる。
【００８３】
所定の数以上の情報を記憶部６７に記憶した時に空調制御端末１０の表示内容を変更してもよい。例えば、１０個の操作内容を記憶するまでは、空調制御端末１０の表示内容を変更せず、１０個以上の操作内容を記憶したら空調制御端末１０の表示内容を変更する。
【００８４】
又、記憶部６７で記憶したユーザの属性に関する情報に基づいて空調制御端末１０の内容を変更することで、ユーザの属性に応じて空調制御端末１０の表示内容を変更してもよい。本実施例に係る空気調和機用遠隔操作システム（専用のアプリケーションソフト）は、空気調和機本体を操作する操作部（ツールバー１１４、運転モード設定部１１６等）を有する操作画面（表示部１１９）と、空気調和機本体のセンサ部５０で検出した検出情報を記憶する記憶部６７と、記憶部６７に記憶した検出情報に基づいて、操作画面（表示部１１９）における操作部の表示を変更する。
【００８５】
例えば、ユーザが高齢な場合、空調制御端末１０の小さな表示を判読することが困難であると推定し、空調制御端末１０の表示を拡大したり、アプリケーションソフトのアイコンを大きくしたり、機能の説明を表示や音声で解説するなどユーザの快適性や利便性、操作性を向上させることが可能となる。
【符号の説明】
【００８６】
４０…リモコン、４１…表示部、５０…センサ部、６０…制御部、６７…操作部、１０…空調制御端末、１１４…ツールバー、１００…室内機、１０４…左右風向板、１０５…上下風向板、１１６…運転モード設定部、１１９…表示部、２００…室外機
【図１】
2016023847.tif 000003
【図２】
2016023847.tif 000004
【図３】
2016023847.tif 000005
【図４】
2016023847.tif 000006
【図５】
2016023847.tif 000007
【図６】
2016023847.tif 000008
【図７】
2016023847.tif 000009